(57)【要約】  接続状態とアイドル状態との間の中間状態に関する状態遷移を実現する無線通信システムが開示される。本発明の一態様は、ユーザ装置は、前記ユーザ装置の通信状態を管理する状態管理部と、前記ユーザ装置の通信状態を遷移させる状態遷移部とを有し、ユーザ装置を接続状態から維持状態に遷移させるための維持メッセージを第１の基地局から受信すると、状態遷移部は、ユーザ装置を接続状態から維持状態に遷移させ、状態管理部は、維持メッセージからユーザ装置と第１の基地局との間の無線通信のための無線パラメータ情報を特定するコンテクスト識別子と、第１の基地局のセルを含む１つ以上のセルから構成される基地局ベース位置登録エリアとを抽出し、無線パラメータ情報、コンテクスト識別子及び基地局ベース位置登録エリアを保持する無線通信システムに関する。
2018030281.tif 000002
【特許請求の範囲】
【請求項１】
第１の無線アクセス技術に従う第１の基地局と
第２の無線アクセス技術に従う第２の基地局と、
ユーザ装置と、
を有する無線通信システムであって、
前記ユーザ装置は、
前記ユーザ装置の通信状態を管理する状態管理部と、
前記ユーザ装置の通信状態を遷移させる状態遷移部と、
を有し、
前記ユーザ装置を接続状態から維持状態に遷移させるための維持メッセージを前記第１の基地局から受信すると、前記状態遷移部は、前記ユーザ装置を前記接続状態から前記維持状態に遷移させ、前記状態管理部は、前記維持メッセージから前記ユーザ装置と前記第１の基地局との間の無線通信のための無線パラメータ情報を特定するコンテクスト識別子と、前記第１の基地局のセルを含む１つ以上のセルから構成される基地局ベース位置登録エリアとを抽出し、前記無線パラメータ情報、前記コンテクスト識別子及び前記基地局ベース位置登録エリアを保持する無線通信システム。
【請求項２】
前記維持メッセージは更に、前記無線パラメータ情報と前記基地局ベース位置登録エリアとの有効期間を示すタイマ情報を有する、請求項１記載の無線通信システム。
【請求項３】
前記ユーザ装置が前記第１の基地局と前記維持状態により通信しているとき、前記第１の基地局から共通チャネルによりリリースメッセージを受信すると、前記状態遷移部は、前記保持されているコンテクスト識別子に基づき前記リリースメッセージが前記ユーザ装置宛のものであるか判断し、前記リリースメッセージが前記ユーザ装置宛のものであると判断すると、前記ユーザ装置を前記維持状態からアイドル状態に遷移させる、請求項１又は２記載の無線通信システム。
【請求項４】
前記ユーザ装置が前記第１の基地局と前記維持状態により通信しているとき、前記第２の基地局へのセル再選択を実行すると、前記状態遷移部は、前記ユーザ装置を前記維持状態から前記第２の基地局におけるアイドル状態に遷移させ、
前記状態管理部は、所定の破棄タイミングに従って前記無線パラメータ情報、前記コンテクスト識別子及び前記基地局ベース位置登録エリアを破棄する、請求項１乃至３何れか一項記載の無線通信システム。
【請求項５】
前記第１の基地局は、前記ユーザ装置との無線通信を制御する通信制御部を有し、
前記通信制御部は、コアネットワークベース位置登録エリアと共に前記基地局ベース位置登録エリアをブロードキャストする、請求項１乃至４何れか一項記載の無線通信システム。
【請求項６】
前記第１の基地局は更に、前記ユーザ装置の通信状態を管理するユーザ装置管理部を有し、
前記第１の無線アクセス技術に従う第３の基地局から前記維持状態のユーザ装置に対するコンテクスト識別子を受信すると、前記ユーザ装置管理部は、前記コンテクスト識別子に対応する無線パラメータ情報を前記第３の基地局に提供する、請求項１乃至５何れか一項記載の無線通信システム。
【発明の詳細な説明】
【技術分野】
【０００１】
本発明は、無線通信システムに関する。
【背景技術】
【０００２】
現在、ＬＴＥ（Ｌｏｎｇ  Ｔｅｒｍ  Ｅｖｏｌｕｔｉｏｎ）システム及びＬＴＥ−Ａｄｖａｎｃｅｄシステムの次世代規格（５Ｇ又はＮＲ（Ｎｅｗ  Ｒａｄｉｏ  Ａｃｃｅｓｓ  Ｔｅｃｈｎｏｌｏｇｙ））が３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）において検討されている。３ＧＰＰにおける議論の１つとして、ユーザ装置（Ｕｓｅｒ  Ｅｑｕｉｐｍｅｎｔ：ＵＥ）の通信状態が検討されている。ＬＴＥシステム及びＬＴＥ−Ａｄｖａｎｃｅｄシステムでは、ユーザ装置は、無線ネットワークを制御するＲＲＣ（Ｒａｄｉｏ  Ｒｅｓｏｕｒｃｅ  Ｃｏｎｔｒｏｌ）において、ＲＲＣ＿Ｃｏｎｎｅｃｔｅｄによる接続状態とＲＲＣ＿Ｉｄｌｅによるアイドル状態との２つの通信状態で動作することが規定されている。
【先行技術文献】
【非特許文献】
【０００３】
【非特許文献１】３ＧＰＰ  ＴＳ  ３６．３３１  Ｖ１３．２．０（２０１６−０６）
【発明の概要】
【発明が解決しようとする課題】
【０００４】
一方、ＮＲシステムでは、ＲＲＣ＿Ｃｏｎｎｅｃｔｅｄ状態とＲＲＣ＿Ｉｄｌｅ状態との間の中間状態を導入することが検討されている。この中間状態では、ユーザ装置と基地局（ＮＲ  Ｎｏｄｅ）と間の接続状態はサスペンドされ、個別リソースの割当てはできない一方、コアネットワークと基地局との間ではユーザ装置の接続状態は維持される。このため、当該中間状態は以降において「維持状態」として参照される。当該維持状態では、ＲＲＣ＿Ｃｏｎｎｅｃｔｅｄ状態において設定された無線パラメータ（ＡＳ（Ａｃｃｅｓｓ  Ｓｔｒａｔｕｍ）  ｃｏｎｔｅｘｔ）はユーザ装置及び基地局に保存され、また、コアネットワークはエリア内におけるユーザ装置の位置を把握しており、基地局は維持状態にあるユーザ装置にページングを送信可能である。当該ページングを受信すると、ユーザ装置は、維持状態から接続状態に遷移し、ダウンリンクデータを受信する。【０００５】
しかしながら、このような維持状態と接続状態又はアイドル状態との間の状態遷移のための具体的処理は議論されていない。また、ＬＴＥシステムとＮＲシステムとが併存する状況が予想され、ユーザ装置は、ＲＡＴ間遷移によってＮＲシステムにおける維持状態からＬＴＥシステムに遷移したり、あるいは、ＬＴＥシステムからＮＲシステムにおける維持状態に遷移する可能性もある。このようなＲＡＴ間遷移を伴う維持状態への遷移又は維持状態からの遷移のための具体的処理も議論されていない。【０００６】
上述した問題点を鑑み、本発明の課題は、接続状態とアイドル状態との間の中間状態に関する状態遷移を実現する無線通信システムを提供することである。
【課題を解決するための手段】
【０００７】
上記課題を解決するため、本発明の一態様は、第１の無線アクセス技術に従う第１の基地局と第２の無線アクセス技術に従う第２の基地局と、ユーザ装置とを有する無線通信システムであって、前記ユーザ装置は、前記ユーザ装置の通信状態を管理する状態管理部と、前記ユーザ装置の通信状態を遷移させる状態遷移部とを有し、前記ユーザ装置を接続状態から維持状態に遷移させるための維持メッセージを前記第１の基地局から受信すると、前記状態遷移部は、前記ユーザ装置を前記接続状態から前記維持状態に遷移させ、前記状態管理部は、前記維持メッセージから前記ユーザ装置と前記第１の基地局との間の無線通信のための無線パラメータ情報を特定するコンテクスト識別子と、前記第１の基地局のセルを含む１つ以上のセルから構成される基地局ベース位置登録エリアとを抽出し、前記無線パラメータ情報、前記コンテクスト識別子及び前記基地局ベース位置登録エリアを保持する無線通信システムに関する。
【発明の効果】
【０００８】
本発明によると、接続状態とアイドル状態との間の中間状態に関する状態遷移を実現することができる。
【図面の簡単な説明】
【０００９】
【図１】図１は、本発明の一実施例による無線通信システムを示す概略図である。
【図２】図２は、本発明の第１実施例によるＲＲＣ状態遷移図である。
【図３】図３は、本発明の第２実施例によるＲＲＣ状態遷移図である。
【図４】図４は、本発明の一実施例による状態間遷移のためのプロシージャリストを示す図である。
【図５】図５は、本発明の一実施例によるユーザ装置の機能構成を示すブロック図である。
【図６】図６は、本発明の一実施例による基地局の機能構成を示すブロック図である。
【図７】図７は、本発明の一実施例によるＮＲ  ＲＲＣ＿Ｃｏｎｎｅｃｔｅｄ→ＮＲ  ＲＲＣ＿ＳＵＳＴＡＩＮＥＤの状態遷移手順を示す図である。
【図８】図８は、本発明の一実施例によるＲＲＣ＿ＳＵＳＴＡＩＮＥＤ状態での着信処理を示すシーケンス図である。
【図９】図９は、本発明の一実施例によるＲＲＣ＿ＳＵＳＴＡＩＮＥＤ状態での着信処理を示すシーケンス図である。
【図１０】図１０は、本発明の一実施例による位置登録エリア更新手順を示すシーケンス図である。
【図１１】図１１は、本発明の一実施例によるＮＲ  ＲＲＣ＿ＳＵＳＴＡＩＮＥＤ→ＮＲ  ＲＲＣ＿Ｉｄｌｅの状態遷移手順を示す図である。
【図１２】図１２は、本発明の一実施例によるＮＲ  ＲＲＣ＿ＳＵＳＴＡＩＮＥＤ→ＮＲ  ＲＲＣ＿ＩＤＬＥ遷移時のＣＮ−ＲＡＮコネクションの解放手順を示す図である。
【図１３】図１３は、本発明の第２実施例によるＮＲ  ＲＲＣ＿ＳＵＳＴＡＩＮＥＤ→ＬＴＥ  ＲＲＣ＿Ｉｄｌｅの状態遷移手順を示す図である。
【図１４】図１４は、本発明の第２実施例によるＬＴＥ  ＲＲＣ＿ＳＵＳＴＡＩＮＥＤ→ＮＲ  ＲＲＣ＿Ｉｄｌｅの状態遷移手順を示す図である。
【図１５】図１５は、本発明の一実施例による基地局ベース位置登録エリア及びコアネットワークベース位置登録エリアを示す概略図である。
【図１６】図１６は、本発明の一実施例による基地局ベース位置登録エリア更新処理を示すシーケンス図である。
【図１７】図１７は、本発明の一実施例による基地局ベース位置登録エリア更新処理を示すシーケンス図である。
【図１８】図１８は、本発明の一実施例によるユーザ装置及び基地局のハードウェア構成を示すブロック図である。
【発明を実施するための形態】
【００１０】
以下、図面に基づいて本発明の実施の形態を説明する。
【００１１】
以下の実施例では、接続状態とアイドル状態との間の中間状態で動作可能なユーザ装置が同一ＲＡＴの基地局において通信状態を遷移すると共に、異なるＲＡＴの基地局へのセル再選択を実行可能な無線通信システムが開示される。
【００１２】
まず、図１を参照して、本発明の一実施例による無線通信システムを説明する。図１は、本発明の一実施例による無線通信システムを示す概略図である。
【００１３】
図１に示されるように、無線通信システム１０は、ユーザ装置（ＵＥ）１００及び基地局２００，３００を有する。無線通信システム１０では、例えば、３ＧＰＰのＲｅｌ−１４以降の規格に準拠した無線通信システム（例えば、ＮＲシステム又は５Ｇシステム）と、Ｒｅｌ−１３に準拠するＬＴＥシステム又はＬＴＥ−Ａｄｖａｎｃｅｄシステムとが併存し、例えば、基地局２００はＮＲシステムに準拠した基地局（ＮＲ  Ｎｏｄｅ）であり、基地局３００はＬＴＥシステムに準拠した基地局（ｅＮＢ（ｅｖｏｌｖｅｄ  ＮｏｄｅＢ））であってもよい。以下の実施例では、基地局２００がＮＲ  Ｎｏｄｅであり、基地局３００がｅＮＢであると仮定する。しかしながら、本発明はこれに限定されず、３ＧＰＰ規格又は非３ＧＰＰ規格に準拠した他の何れかの無線アクセス技術に従う無線通信システムに適用されてもよい。また、図示された実施例では、２つの基地局２００，３００しか示されていないが、典型的には、無線通信システム１０のカバレッジ範囲をカバーするよう多数の基地局２００，３００が配置される。
【００１４】
ユーザ装置１００は、スマートフォン、携帯電話、タブレット、ウェアラブル端末などの無線通信機能を備えた何れか適切な情報処理装置であり、ＮＲシステム及びＬＴＥシステムの双方と通信可能である。以下の実施例では、ユーザ装置１００は、基地局２００との無線通信では、接続状態（ＮＲ  ＲＲＣ＿ＣＯＮＮＥＣＴＥＤ）、維持状態（ＮＲ  ＲＲＣ＿ＳＵＳＴＡＩＮＥＤ）及びアイドル状態（ＮＲ  ＲＲＣ＿ＩＤＬＥ）の３つの通信状態により動作し、基地局３００との無線通信では、接続状態（ＬＴＥ  ＲＲＣ＿ＣＯＮＮＥＣＴＥＤ）及びアイドル状態（ＬＴＥ  ＲＲＣ＿ＩＤＬＥ）の２つの通信状態により動作する。なお、ＮＲシステムの維持状態は、ＮＲ  ＲＲＣ＿ＩＮＡＣＴＩＶＥとして参照されてもよい。
【００１５】
ＮＲシステムにおける接続状態（ＮＲ  ＲＲＣ＿ＣＯＮＮＥＣＴＥＤ）は、ＬＴＥシステムにおけるＲＲＣ＿ＣＯＮＮＥＣＴＥＤ状態に相当し、基地局２００がユーザ装置１００のモビリティを制御すると共に、個別無線リソースをユーザ装置１００に割り当てる。
【００１６】
ＮＲシステムにおけるアイドル状態（ＮＲ  ＲＲＣ＿ＩＤＬＥ）は、ＬＴＥシステムにおけるＲＲＣ＿ＩＤＬＥ状態に相当し、ユーザ装置１００が自らのモビリティを制御すると共に、コアネットワーク（ＣＮ）ベースのページングが行われる。アイドル状態では、個別無線リソースは割り当てられず、また、接続状態においてユーザ装置１００と基地局２００との間で設定された無線パラメータを示すＡＳコンテクストは、ユーザ装置１００及び基地局２００において破棄されている。
【００１７】
ＮＲシステムにおける維持状態（ＮＲ  ＲＲＣ＿ＳＵＳＴＡＩＮＥＤ）は、ＬＴＥシステムにおけるＲＲＣ＿ＣＯＮＮＥＣＴＥＤ状態とＲＲＣ＿ＩＤＬＥ状態との間の中間状態に相当する。すなわち、ＮＲ  ＲＲＣ＿ＳＵＳＴＡＩＮＥＤ状態では、ユーザ装置１００が自らモビリティを制御し、例えば、自律的にセル再選択を実行可能である。また、個別無線リソースはユーザ装置１００に割り当てられない一方、ユーザ装置１００に関するコネクションはコアネットワークと基地局２００との間で維持され、ＲＡＮ（Ｒａｄｉｏ  Ａｃｃｅｓｓ  Ｎｅｔｗｏｒｋ）ベース又は基地局ベースのページングが実行される。すなわち、ダウンリンクデータは、コアネットワークから基地局２００に送信され（ＮＭＭ（Ｎｅｔｗｏｒｋ  Ｍｏｎｉｔｏｒ  Ｍｏｄｅ）  Ｒｅｇｉｓｔｅｒｅｄ  Ｒｅａｄｙ状態）、後述されるような基地局ベース位置登録エリアに対してページングが実行される。また、ユーザ装置１００と基地局２００との間の無線通信のための無線パラメータを示すＡＳコンテクストは、ユーザ装置１００及び基地局２００に保持される。このため、接続状態に戻る際、ユーザ装置１００は、当該無線パラメータに従って基地局２００との無線通信を迅速に再開することができる。なお、接続状態とアイドル状態との間の中間状態は、上述した維持状態に限定されず、接続状態の特徴とアイドル状態の特徴とを併せ持つ他の状態であってもよい。
【００１８】
基地局２００，３００は、１つ以上のセルを提供し、コアネットワークの管理の下で当該セルを介しユーザ装置１００と無線通信する。本実施例では、基地局２００はＮＲシステムに準拠し、ユーザ装置１００は接続状態（ＮＲ  ＲＲＣ＿ＣＯＮＮＥＣＴＥＤ）、維持状態（ＮＲ  ＲＲＣ  ＳＵＳＴＡＩＮＥＤ）及びアイドル状態（ＮＲ  ＲＲＣ＿ＩＤＬＥ）の３つの通信状態により基地局２００と通信可能である。他方、基地局３００はＬＴＥシステムに準拠し、ユーザ装置１００は接続状態（ＬＴＥ又はＥ−ＵＴＲＡ  ＲＲＣ＿ＣＯＮＮＥＣＴＥＤ）及びアイドル状態（ＬＴＥ又はＥ−ＵＴＲＡ  ＲＲＣ＿ＩＤＬＥ）の２つの通信状態により基地局３００と通信可能である。
【００１９】
図２は本発明の第１実施例によるＲＲＣ状態遷移図であり、図３は本発明の第２実施例によるＲＲＣ状態遷移図である。図２及び図３から理解されるように、第１実施例と第２実施例とは、ＮＲ  ＲＲＣ＿ＳＵＳＴＡＩＮＥＤ状態とＥ−ＵＴＲＡ  ＲＲＣ＿ＩＤＬＥ（ＬＴＥ  ＲＲＣ＿ＩＤＬＥ）状態との間の遷移のみ異なる。すなわち、第１実施例では、ユーザ装置１００は、ＮＲ  ＲＲＣ＿ＳＵＳＴＡＩＮＥＤ状態からＥ−ＵＴＲＡ  ＲＲＣ＿ＩＤＬＥ状態に遷移可能である一方、Ｅ−ＵＴＲＡ  ＲＲＣ＿ＩＤＬＥ状態からＮＲ  ＲＲＣ＿ＳＵＳＴＡＩＮＥＤ状態に遷移することはできず、ＮＲ  ＲＲＣ＿ＳＵＳＴＡＩＮＥＤ状態とＥ−ＵＴＲＡ  ＲＲＣ＿ＩＤＬＥ（ＬＴＥ  ＲＲＣ＿ＩＤＬＥ）状態との間の遷移は一方向のみ可能である。他方、第２実施例では、ユーザ装置１００は、ＮＲ  ＲＲＣ＿ＳＵＳＴＡＩＮＥＤ状態からＥ−ＵＴＲＡ  ＲＲＣ＿ＩＤＬＥ状態に遷移可能であると共に、Ｅ−ＵＴＲＡ  ＲＲＣ＿ＩＤＬＥ状態からＮＲ  ＲＲＣ＿ＳＵＳＴＡＩＮＥＤ状態に遷移可能であり、ＮＲ  ＲＲＣ＿ＳＵＳＴＡＩＮＥＤ状態とＥ−ＵＴＲＡ  ＲＲＣ＿ＩＤＬＥ（ＬＴＥ  ＲＲＣ＿ＩＤＬＥ）状態との間の遷移は双方向で可能である。これは、第１実施例によるユーザ装置１００は、ＮＲ  ＲＲＣ＿ＳＵＳＴＡＩＮＥＤ状態からＥ−ＵＴＲＡ  ＲＲＣ＿ＩＤＬＥ状態への遷移後、遷移元の基地局２００との無線通信のためのＡＳコンテクストを破棄する一方、第２実施例によるユーザ装置１００は、ＮＲ  ＲＲＣ＿ＳＵＳＴＡＩＮＥＤ状態からＥ−ＵＴＲＡ  ＲＲＣ＿ＩＤＬＥ状態への遷移後、遷移元の基地局２００との無線通信のためのＡＳコンテクストを保持するためである。
【００２０】
図２及び図３では、各通信状態間の遷移に用いられる具体的な手順が例示されており、図４において、これらの手順がリスト化されている。以下の実施例では、ＮＲ  ＲＲＣ＿ＳＵＳＴＡＩＮＥＤ状態に関連する遷移処理、すなわち、ＮＲ  ＲＲＣ＿ＣＯＮＮＥＣＴＥＤ→ＮＲ  ＲＲＣ＿ＳＵＳＴＡＩＮＥＤの遷移処理、ＮＲ  ＲＲＣ＿ＳＵＳＴＡＩＮＥＤ→ＮＲ  ＲＲＣ＿ＩＤＬＥの遷移処理、ＮＲ  ＲＲＣ＿ＳＵＳＴＡＩＮＥＤ→ＬＴＥ  ＲＲＣ＿ＩＤＬＥの遷移処理及びＬＴＥ  ＲＲＣ＿ＩＤＬＥ→ＮＲ  ＲＲＣ＿ＳＵＳＴＡＩＮＥＤの遷移処理を説明する。これらのうち、ＮＲ  ＲＲＣ＿ＣＯＮＮＥＣＴＥＤ→ＮＲ  ＲＲＣ＿ＳＵＳＴＡＩＮＥＤの遷移処理及びＮＲ  ＲＲＣ＿ＳＵＳＴＡＩＮＥＤ→ＮＲ  ＲＲＣ＿ＩＤＬＥの遷移処理は、ＮＲシステム内で実現される。他方、ＮＲ  ＲＲＣ＿ＳＵＳＴＡＩＮＥＤ→ＬＴＥ  ＲＲＣ＿ＩＤＬＥの遷移処理及びＬＴＥ  ＲＲＣ＿ＩＤＬＥ→ＮＲ  ＲＲＣ＿ＳＵＳＴＡＩＮＥＤの遷移処理は、ＮＲシステムとＬＴＥシステムとの間のＲＡＴ間のセル再選択として実現される。
【００２１】
なお、ＮＲ  ＲＲＣ＿ＳＵＳＴＡＩＮＥＤ→ＮＲ  ＲＲＣ＿ＣＯＮＮＥＣＴＥＤの遷移処理は、ＬＴＥシステムにおけるＲＲＣ  ｃｏｎｎｅｃｔｉｏｎ  ｒｅｓｕｍｅを適用することによって実現できると考えられ、以下において、その具体的な遷移処理は省略される。
【００２２】
次に、図５を参照して、本発明の一実施例によるユーザ装置を説明する。図５は、本発明の一実施例によるユーザ装置の機能構成を示すブロック図である。
【００２３】
図５に示されるように、ユーザ装置１００は、状態管理部１１０及び状態遷移部１２０を有する。
【００２４】
状態管理部１１０は、ユーザ装置１００の通信状態を管理する。具体的には、状態管理部１１０は、ＮＲシステムの基地局２００との無線通信では、接続状態（ＮＲ  ＲＲＣ＿ＣＯＮＮＥＣＴＥＤ）、維持状態（ＮＲ  ＲＲＣ＿ＳＵＳＴＡＩＮＥＤ）及びアイドル状態（ＮＲ  ＲＲＣ＿ＩＤＬＥ）の３つの通信状態によってユーザ装置１００の通信状態を管理し、ＬＴＥシステムの基地局３００との無線通信では、接続状態（ＬＴＥ  ＲＲＣ＿ＣＯＮＮＥＣＴＥＤ））及びアイドル状態（ＬＴＥ  ＲＲＣ＿ＩＤＬＥ）の２つの通信状態によってユーザ装置１００の通信状態を管理する。状態管理部１１０は、ユーザ装置１００の通信状態に対応して、後述されるＡＳコンテクスト、ＡＳコンテクストを特定するＲｅｓｕｍｅ  ＩＤ、基地局ベース（ＲＡＮ内）位置登録エリアなどの各種情報及びデータを保持又は破棄する。
【００２５】
状態遷移部１２０は、ユーザ装置１００の通信状態を遷移させる。具体的には、状態遷移部１２０は、図２又は図３に示されるような状態遷移図に従って対応する遷移手順を実行することによって、ユーザ装置１００の通信状態を遷移させる。上述したように、以下の実施例では、ＮＲ  ＲＲＣ＿ＣＯＮＮＥＣＴＥＤ→ＮＲ  ＲＲＣ＿ＳＵＳＴＡＩＮＥＤ、ＮＲ  ＲＲＣ＿ＳＵＳＴＡＩＮＥＤ→ＮＲ  ＲＲＣ＿ＩＤＬＥ、ＮＲ  ＲＲＣ＿ＳＵＳＴＡＩＮＥＤ→ＬＴＥ  ＲＲＣ＿ＩＤＬＥ及びＬＴＥ  ＲＲＣ＿ＩＤＬＥ→ＮＲ  ＲＲＣ＿ＳＵＳＴＡＩＮＥＤの４つのタイプの遷移処理について説明する。これらの遷移手順の詳細については、図７〜１４を参照して後述される。
【００２６】
次に、図６を参照して、本発明の一実施例による基地局を説明する。なお、以下の説明では、基地局２００の構成に着目するが、同様の説明が基地局３００の構成に実質的に適用可能である。図６は、本発明の一実施例による基地局の機能構成を示すブロック図である。
【００２７】
図６に示されるように、基地局２００は、通信制御部２１０及びユーザ装置管理部２２０を有する。
【００２８】
通信制御部２１０は、ユーザ装置１００との無線通信を制御する。具体的には、ユーザ装置１００が基地局２００との無線接続を確立すると、通信制御部２１０は、無線通信のための無線パラメータをユーザ装置１００に設定し、当該無線パラメータをＡＳコンテクストにより通知する。通信制御部２１０は、接続状態のユーザ装置１００に対して、個別無線リソースを割り当てることによって、ユーザ装置１００との間でダウンリンク／アップリンク制御チャネル及び／又はダウンリンク／アップリンクデータチャネルを送受信する。
【００２９】
また、通信制御部２１０は、ＮＲシステムの他の基地局２００と通信すると共に、ＬＴＥシステムのコアネットワーク（図示せず）及び／又は基地局３００と通信する。上述したように維持状態では基地局２００とコアネットワークとの間の接続は維持される。このため、コアネットワークからユーザ装置１００宛のダウンリンクデータを受信すると、通信制御部２１０は、後述されるように、基地局２００のセルと共に、基地局ベース位置登録エリア内の他の基地局のセルを介しページングチャネルを送信する。
【００３０】
また、通信制御部２１０は、共通チャネルを用いてセルのシステム情報を定期的にブロードキャストする。例えば、当該システム情報は、基地局２００を管理するコアネットワークがページングチャネルを送信する基地局を示すコアネットワークベース位置登録エリア（ＬＴＥシステムにおけるページングエリア）と共に、維持状態のユーザ装置１００にページングチャネルを送信する基地局を示す基地局ベース位置登録エリアを含んでもよい。
【００３１】
ユーザ装置管理部２２０は、ユーザ装置１００の通信状態を管理する。例えば、ユーザ装置１００が基地局２００との無線接続を確立すると、ユーザ装置管理部２２０は、ユーザ装置１００の通信状態を接続状態に設定すると共に、ユーザ装置１００に対して通信制御部２１０によって設定されたＡＳコンテクストを保持する。後述されるように、ＡＳコンテクストの破棄タイミングは、ＮＲ  ＲＲＣ＿ＳＵＳＴＡＩＮＥＤ状態とＬＴＥ  ＲＲＣ＿ＩＤＬＥ状態との間で一方向のみの遷移が可能とされる第１実施例と、ＮＲ  ＲＲＣ＿ＳＵＳＴＡＩＮＥＤ状態とＬＴＥ  ＲＲＣ＿ＩＤＬＥ状態との間で双方向の遷移が可能とされる第２実施例とで異なる。
【００３２】
ユーザ装置管理部２２０は、ユーザ装置１００の通信状態に対応して、後述されるＡＳコンテクスト、ＡＳコンテクストを特定するＲｅｓｕｍｅ  ＩＤ、基地局ベース（ＲＡＮ内）位置登録エリアなどの各種情報及びデータを保持又は破棄する。
【００３３】
次に、図７〜９を参照して、本発明の一実施例によるＮＲ  ＲＲＣ＿ＣＯＮＮＥＣＴＥＤ→ＮＲ  ＲＲＣ＿ＳＵＳＴＡＩＮＥＤの遷移処理について説明する。図７は、本発明の一実施例によるＮＲ  ＲＲＣ＿ＣＯＮＮＥＣＴＥＤ→ＮＲ  ＲＲＣ＿ＳＵＳＴＡＩＮＥＤの状態遷移手順を示す図である。
【００３４】
図７に示されるように、ユーザ装置１００は、接続状態から維持状態に遷移させるための維持メッセージ（ＲＲＣ  Ｃｏｎｎｅｃｔｉｏｎ  Ｓｕｓｔｅｎａｎｃｅ）を基地局２００から受信する。当該維持メッセージを受信すると、状態遷移部１２０は、ユーザ装置１００を接続状態から維持状態に遷移させ、状態管理部１１０は、維持メッセージからユーザ装置１００と基地局２００との間の無線通信のための無線パラメータ情報を特定するコンテクスト識別子と、基地局２００のセルを含む１つ以上のセルから構成される基地局ベース位置登録エリアとを抽出し、無線パラメータ情報、コンテクスト識別子及び基地局ベース位置登録エリアを保持する。
【００３５】
具体的には、維持メッセージは、基地局２００に接続した際にユーザ装置１００に対して設定された無線パラメータを示すＡＳコンテクストを特定するＲｅｓｕｍｅ  ＩＤと、維持状態のユーザ装置１００にページングチャネルを送信する複数のセルを示す基地局ベース位置登録エリアとを含むものであってもよい。維持メッセージを受信すると、状態遷移部１２０は、ユーザ装置１００をＮＲ  ＲＲＣ＿ＣＯＮＮＥＣＴＥＤ状態からＮＲ  ＲＲＣ＿ＳＵＳＴＡＩＮＥＤ状態に遷移させ、状態管理部１１０は、受信した維持メッセージからＲｅｓｕｍｅ  ＩＤと基地局ベース位置登録エリアとを抽出し、ユーザ装置１００に対して設定されているＡＳコンテクストと共に、抽出したＲｅｓｕｍｅ  ＩＤと基地局ベース位置登録エリアとを保持する。一方、維持メッセージを送信すると、ユーザ装置管理部２２０は、ユーザ装置１００のＡＳコンテクストとＲｅｓｕｍｅ  ＩＤとを保持する。ここで、Ｒｅｓｕｍｅ  ＩＤは、ユーザ装置１００に対して設定されているＡＳコンテクストをＮＲシステム内で一意的に特定するための識別子である。しかしながら、本実施例によるコンテクスト識別子はこれに限定されず、ユーザ装置１００に対して設定され、状態管理部１１０に保持される無線パラメータ情報を特定可能な他の何れか適切な識別子であってもよい。また、基地局ベース位置登録エリアは、典型的には、基地局２００を管理するコアネットワークがページングチャネルを送信する基地局を示すコアネットワークベース位置登録エリアより狭いものであってもよい。
【００３６】
一実施例では、維持メッセージは更に、無線パラメータ情報と基地局ベース位置登録エリアとの有効期間を示すタイマ情報を有してもよい。具体的には、状態管理部１１０は、当該タイマ情報に従って、保持されたＡＳコンテクスト及び／又は基地局ベース位置登録エリアに対して個別又は共通のタイマを設定し、ＡＳコンテクスト及び／又は基地局ベース位置登録エリアの保持時間を計時する。タイマが満了すると、状態管理部１１０は、ＡＳコンテクストを破棄し、及び／又は後述される基地局ベース位置登録エリアの更新手順を実行してもよい。
【００３７】
上述したように、維持状態では、ユーザ装置１００に対してコアネットワークと基地局２００との間の接続は維持される。このため、コアネットワークからユーザ装置１００宛のダウンリンクデータは、基地局２００に送信される。図８及び図９を参照して、維持状態のユーザ装置１００に対する着信手順を説明する。図示される実施例では、基地局２００（ＮＲ基地局＃１）から維持メッセージを受信し、維持状態に遷移したユーザ装置１００が、ＮＲシステムにおける他の基地局（ＮＲ基地局＃２）へのセル再選択を実行したケースが示される。
【００３８】
図８は、本発明の一実施例によるＲＲＣ＿ＳＵＳＴＡＩＮＥＤ状態での着信処理を示すシーケンス図である。図８に示される実施例では、ＮＲ基地局＃１とＮＲ基地局＃２とは、同一の基地局ベース（ＲＡＮ内）位置登録エリアに属していると仮定する。
【００３９】
図８に示されるように、ステップＳ１０１において、ユーザ装置１００は、ＮＲ基地局＃１から維持メッセージ（ＲＲＣ  Ｃｏｎｎｅｃｔｉｏｎ  Ｓｕｓｔｅｎａｎｃｅ）を受信してＮＲ  ＲＲＣ＿ＳＵＳＴＡＩＮＥＤ状態に遷移した後、ＮＲ基地局＃２へのセル再選択を実行する。
【００４０】
ステップＳ１０２において、ＮＲ基地局＃１は、維持メッセージを送信した後、ユーザ装置１００に対するＡＳコンテクスト、Ｒｅｓｕｍｅ  ＩＤ及び基地局ベース位置登録エリアを保持すると共に、ユーザ装置１００に対するページングチャネルの送信元として機能する。
【００４１】
ステップＳ１０３において、ＮＲ基地局＃１は、コアネットワークからユーザ装置１００宛のダウンリンクデータを受信する。
【００４２】
ＮＲ基地局＃１は、ステップＳ１０４において、ユーザ装置１００宛のダウンリンクデータを受信したことを通知するため、自セルにおいてページングチャネルを送信すると共に、ステップＳ１０５において、基地局ベース位置登録エリア内の全ての基地局にユーザ装置１００宛のダウンリンクデータを受信したことを通知するためのページングチャネルを送信するよう指示する。当該ページングチャネルの送信タイミングにおいてユーザ装置１００は基地局ベース位置登録エリア内のＮＲ基地局＃２に在圏しているため、ステップＳ１０６において、ユーザ装置１００は、ＮＲ基地局＃２からページングチャネルを受信する。
【００４３】
ステップＳ１０７において、アイドル状態のユーザ装置１００は、コアネットワークから送信されたダウンリンクデータの受信のためにＮＲ基地局＃２との通信接続を確立するため、保持されるＲｅｓｕｍｅ  ＩＤを含むＲＲＣ  ｃｏｎｎｅｃｔｉｏｎ  ｒｅｓｕｍｅをＮＲ基地局＃２に送信する。すなわち、当該通信接続は、維持状態においてユーザ装置１００及びＮＲ基地局＃１に保持されるＡＳコンテクストを援用することによって確立可能であるため、ＲＲＣ  ｃｏｎｎｅｃｔｉｏｎ  ｅｓｔａｂｌｉｓｈｍｅｎｔでなく、ＲＲＣ  ｃｏｎｎｅｃｔｉｏｎ  ｒｅｓｕｍｅにより確立可能である。以降の通信再開処理における各ステップの順序は、単なる一例であり、以下に限定されるものでない。
【００４４】
ＮＲ基地局＃２は、ステップＳ１０８において、ユーザ装置１００のＡＳコンテクストを取得するため、Ｒｅｓｕｍｅ  ＩＤを含むＲｅｔｒｉｅｖｅ  ＵＥ  ｃｏｎｔｅｘｔ  ｒｅｑｕｅｓｔをＮＲ基地局＃１に送信し、ステップＳ１０９において、要求したＡＳコンテクストをＲｅｔｒｉｅｖｅ  ＵＥ  ｃｏｎｔｅｘｔ  ｒｅｓｐｏｎｓｅにより受信する。
【００４５】
ＮＲ基地局＃２は、ステップＳ１１０において、取得したＡＳコンテクストに基づきユーザ装置１００との無線接続を再開するため、ＲＲＣ  ｃｏｎｎｅｃｔｉｏｎ  ｒｅｓｕｍｅをユーザ装置１００に送信し、ステップＳ１１１において、無線接続の再開の完了を示すＲＲＣ  ｃｏｎｎｅｃｔｉｏｎ  ｒｅｓｕｍｅ  ｃｏｍｐｌｅｔｅを受信する。このようにして、ＮＲ基地局＃２から維持状態のユーザ装置１００に対するコンテクスト識別子を受信すると、ＮＲ基地局＃１のユーザ装置管理部２２０は、コンテクスト識別子に対応する無線パラメータ情報をＮＲ基地局＃２に提供する。
【００４６】
ステップＳ１１２において、ＮＲ基地局＃２は、ＮＲ基地局＃１からユーザ装置１００宛のダウンリンクデータを受信する。
【００４７】
ステップＳ１１３において、ＮＲ基地局＃２は、ユーザ装置１００宛のダウンリンクデータの転送先をＮＲ基地局＃１からＮＲ基地局＃２に変更するようＰａｔｈ  ｓｗｉｔｃｈ  ｒｅｑｕｅｓｔをコアネットワークに送信する。
【００４８】
ステップＳ１１４において、ＮＲ基地局＃２は、ＮＲ基地局＃１から転送されたダウンリンクデータをユーザ装置１００に送信する。
【００４９】
ステップＳ１１５において、ＮＲ基地局＃２は、ユーザ装置１００宛のダウンリンクデータの転送先が変更されたことを示すＰａｔｈ  ｓｗｉｔｃｈ  ｒｅｓｐｏｎｓｅを受信する。
【００５０】
ステップＳ１１６において、ＮＲ基地局＃２は、コアネットワークから転送されたユーザ装置１００宛のダウンリンクデータをユーザ装置１００に送信する。
【００５１】
図９は、本発明の一実施例によるＲＲＣ＿ＳＵＳＴＡＩＮＥＤ状態での着信処理を示すシーケンス図である。図９に示される実施例では、ＮＲ基地局＃１とＮＲ基地局＃２とは、異なる基地局ベース（ＲＡＮ内）位置登録エリアに属していると仮定する。
【００５２】
図９に示されるように、ステップＳ２０１において、ユーザ装置１００は、ＮＲ基地局＃１から維持メッセージ（ＲＲＣ  Ｃｏｎｎｅｃｔｉｏｎ  Ｓｕｓｔｅｎａｎｃｅ）を受信してＮＲ  ＲＲＣ＿ＳＵＳＴＡＩＮＥＤ状態に遷移する。
【００５３】
ステップＳ２０２において、ＮＲ基地局＃１は、維持メッセージを送信した後、ユーザ装置１００に対するＡＳコンテクスト、Ｒｅｓｕｍｅ  ＩＤ及び基地局ベース位置登録エリアを保持すると共に、ユーザ装置１００に対するページングチャネルの送信元として機能する。
【００５４】
ステップＳ２０３において、ユーザ装置１００は、ＮＲ基地局＃１の在圏セルにおいてブロードキャストされるシステム情報を受信する。具体的には、当該システム情報は、コアネットワークベース位置登録エリア（ＬＴＥシステムにおけるトラッキングエリア）、維持状態のユーザ装置１００にページングチャネルを送信する基地局を示す基地局ベース位置登録エリアを含む。
【００５５】
ステップＳ２０４において、ユーザ装置１００は、ＮＲ基地局＃２へのセル再選択を実行する。
【００５６】
ステップＳ２０５において、ユーザ装置１００は、ＮＲ基地局＃２の在圏セルにおいてブロードキャストされるシステム情報を受信する。具体的には、当該システム情報は、コアネットワークベース位置登録エリア（ＬＴＥシステムにおけるトラッキングエリア）、維持状態のユーザ装置１００にページングチャネルを送信する基地局を示す基地局ベース位置登録エリアを含む。図示された実施例では、ＮＲ基地局＃１とＮＲ基地局＃２とは、異なる基地局ベース位置登録エリアに属する。
【００５７】
ステップＳ２０６において、ユーザ装置１００は、ステップＳ２０３において受信した基地局ベース位置登録エリアと、ステップＳ２０６において受信した基地局ベース位置登録エリアとが異なることを検出し、基地局ベース位置登録エリアが変更されたと判断する。この場合、ＮＲ基地局＃１がコアネットワークからユーザ装置１００宛のダウンリンクデータを受信しても、ＮＲ基地局＃１は、当該ダウンリンクデータの受信をページングチャネルによってユーザ装置１００に通知することができない。このため、以下のステップにおいて、基地局ベース位置登録エリアの変更処理が実行される必要がある。すなわち、セル遷移前のＮＲ基地局＃１から取得した基地局ベース位置登録エリアと、セル遷移後のＮＲ基地局＃２から取得した基地局ベース位置登録エリアとが異なる場合、状態管理部１１０は、コアネットワークからのユーザ装置１００宛のダウンリンクデータの転送先を変更するようＮＲ基地局＃２に要求する。
【００５８】
ステップＳ２０７において、ユーザ装置１００は、ユーザ装置１００の基地局ベース位置登録エリアをＮＲ基地局＃２の基地局ベース位置登録エリアによって更新するため、保持されるＲｅｓｕｍｅ  ＩＤを含む更新リクエストをＮＲ基地局＃２に送信する。
【００５９】
ステップＳ２０８において、ＮＲ基地局＃２は、ユーザ装置１００のＡＳコンテクストを取得するため、Ｒｅｓｕｍｅ  ＩＤを含むＲｅｔｒｉｅｖｅ  ＵＥ  ｃｏｎｔｅｘｔ  ｒｅｑｕｅｓｔをＮＲ基地局＃１に送信し、ステップＳ２０９において、要求したＡＳコンテクストをＲｅｔｒｉｅｖｅ  ＵＥ  ｃｏｎｔｅｘｔ  ｒｅｓｐｏｎｓｅにより受信する。
【００６０】
ステップＳ２１０において、ＮＲ基地局＃２は、ユーザ装置１００に対するＡＳコンテクスト、Ｒｅｓｕｍｅ  ＩＤ及び基地局ベース位置登録エリアを保持すると共に、ユーザ装置１００に対するページングチャネルの送信元として機能する。
【００６１】
ＮＲ基地局＃２は、ステップＳ２１１において、ユーザ装置１００に基地局ベース位置登録エリアを更新するよう指示し、ステップＳ２１２において、基地局ベース位置登録エリアの更新完了通知を受信する。
【００６２】
ＮＲ基地局＃２は、ステップＳ２１３において、ユーザ装置１００宛のダウンリンクデータの転送先をＮＲ基地局＃１からＮＲ基地局＃２に変更するようＰａｔｈ  ｓｗｉｔｃｈ  ｒｅｑｕｅｓｔをコアネットワークに送信し、ステップＳ２１４において、ユーザ装置１００宛のダウンリンクデータの転送先が変更されたことを示すＰａｔｈ  ｓｗｉｔｃｈ  ｒｅｓｐｏｎｓｅを受信する。以降、ユーザ装置１００宛のダウンリンクデータは、コアネットワークからＮＲ基地局＃２に転送される。
【００６３】
次に、図１０を参照して、上述した基地局ベース位置登録エリアの具体的な更新手順を説明する。当該更新手順は、上述したように、例えば、保持される基地局ベース位置登録エリアとセル再選択後に取得した基地局ベース位置登録エリアとが異なっていることを検出したことに応答して、実行される。図１０は、本発明の一実施例による位置登録エリア更新手順を示すシーケンス図である。
【００６４】
図１０に示されるように、ユーザ装置１００は、基地局ベース位置登録エリアの更新をリクエストするため、ＲＡＮ  Ｔｒａｃｋｉｎｇ  Ａｒｅａ  Ｕｐｄａｔｅ  ＲｅｑｕｅｓｔをＮＲ基地局（上述した具体例では、ＮＲ基地局＃２）に送信する。例えば、ＲＡＮ  Ｔｒａｃｋｉｎｇ  Ａｒｅａ  Ｕｐｄａｔｅ  Ｒｅｑｕｅｓｔは、保持されるＡＳコンテクストを特定するＲｅｓｕｍｅ  ＩＤに加えて、ＡＳコンテクストを認証するための識別子（ｓｈｏｒｔ  Ｒｅｓｕｍｅ  ＭＡＣ−Ｉなど）、当該位置登録更新の実行原因を示すｃａｕｓｅ値などを含むものであってもよい。
【００６５】
ＲＡＮ  Ｔｒａｃｋｉｎｇ  Ａｒｅａ  Ｕｐｄａｔｅ  Ｒｅｑｕｅｓｔを受信すると、ＮＲ基地局は、ＲＡＮ  Ｔｒａｃｋｉｎｇ  Ａｒｅａ  ｕｐｄａｔｅをユーザ装置１００に送信する。例えば、ＲＡＮ  Ｔｒａｃｋｉｎｇ  Ａｒｅａ  ｕｐｄａｔｅは、新たな基地局ベース位置登録エリア（Ｎｅｗ  ＲＡＮ  Ｔｒａｃｋｉｎｇ  Ａｒｅａ）、新たなＲｅｓｕｍｅ  ＩＤ、（必要である場合）セキュリティキーの更新指示（ｋｅｙ  ｃｈａｎｇｅ  ｉｎｄｉｃａｔｏｒ）、（更新される場合）無線設定（Ｒａｄｉｏ  ｃｏｎｆｉｇｕｒａｔｉｏｎ）を含むものであってもよい。ユーザ装置１００に対するＡＳコンテクストを保存する基地局が変更されるため、新たなＲｅｓｕｍｅ  ＩＤがユーザ装置１００に通知される。また、セキュリティキーの更新については、ＬＴＥ規格と同様に、Ｒｅｆｒｅｓｈ及び／又はＲｅ−ｋｅｙｉｎｇが利用されてもよい。また、（ベアラを含む）無線設定が更新される場合、更新後の全ての無線設定が通知されてもよいし、差分のみが通知されてもよい。
【００６６】
その後、ユーザ装置１００は、ＲＡＮ  Ｔｒａｃｋｉｎｇ  Ａｒｅａ  Ｕｐｄａｔｅ  ＣｏｍｐｌｅｔｅをＮＲ基地局に送信する。
【００６７】
次に、図１１〜１２を参照して、本発明の一実施例によるＮＲ  ＲＲＣ＿ＳＵＳＴＡＩＮＥＤ→ＮＲ  ＲＲＣ＿ＩＤＬＥの遷移処理について説明する。図１１は、本発明の一実施例によるＮＲ  ＲＲＣ＿ＳＵＳＴＡＩＮＥＤ→ＮＲ  ＲＲＣ＿ＩＤＬＥの状態遷移手順を示す図である。図示される実施例では、基地局２００からのシグナリングによって、ユーザ装置１００は維持状態からアイドル状態に遷移する。
【００６８】
図１１に示されるように、ユーザ装置１００は、維持状態からアイドル状態に遷移させるためのリリースメッセージ（ＲＲＣ  Ｓｕｓｔｅｎａｎｃｅ  Ｒｅｌｅａｓｅ）を基地局２００から受信する。当該リリースメッセージを受信すると、状態遷移部１２０は、保持されているコンテクスト識別子に基づきリリースメッセージがユーザ装置１００宛のものであるか判断し、リリースメッセージがユーザ装置１００宛のものであると判断すると、ユーザ装置１００を維持状態からアイドル状態に遷移させる。当該リリースメッセージは、図示されるように、新たに規定されたＲＲＣ  Ｓｕｓｔｅｎａｎｃｅ  Ｒｅｌｅａｓｅなどの新規手順に実現されてもよいし、あるいは、ＲＲＣ  ｃｏｎｎｅｃｔｉｏｎ  ｒｅｌｅａｓｅ、ｐａｇｉｎｇ  ｍｅｓｓａｇｅなどのＬＴＥシステムにおける手順を援用してもよい。
【００６９】
上述したように、維持状態では、ユーザ装置１００に対して個別無線リソースは割り当てられず、基地局２００は、共通チャネル（共通制御チャネル）によりユーザ装置１００にリリースメッセージを送信する。あるいは、維持状態のユーザ装置１００のみが受信可能な論理チャネル又はメッセージによって、リリースメッセージが通知されてもよい。例えば、リリースメッセージは、ＳＣＣＨ（Ｓｕｓｔａｉｎｅｄ  Ｃｏｎｔｒｏｌ  Ｃｈａｎｎｅｌ）などの新たに規定した論理チャネルにより通知されてもよいし、あるいは、ＳＣＣＨ（論理チャネル）−ＤＬ−ＳＣＨ（トランスポートチャネル）−ＰＤＳＣＨ（物理チャネル）のようにマッピングされてもよい。あるいは、維持状態用のＲＮＴＩ（Ｒａｄｉｏ  Ｎｅｔｗｏｒｋ  Ｔｅｍｐｏｒａｒｙ  ＩＤ）を規定し、当該メッセージのＣＲＣ（Ｃｙｃｌｉｃ  Ｒｅｄｕｎｄａｎｃｙ  Ｃｈｅｃｋ）が、ＲＮＴＩにスクランブル化されてもよい。
【００７０】
また、リリースメッセージは、Ｒｅｓｕｍｅ  ＩＤを含んでもよい。この場合、維持状態のユーザ装置１００がリリースメッセージを受信すると、状態管理部１１０は、受信したＲｅｓｕｍｅ  ＩＤが保持されているＲｅｓｕｍｅ  ＩＤに一致しているか判断し、一致している場合、保持される対応するＡＳコンテクスト及び基地局ベース位置登録エリアを破棄し、状態遷移部１２０は、ユーザ装置１００を維持状態からアイドル状態に遷移させる。
【００７１】
上述した実施例では、基地局２００からのシグナリングによって、ユーザ装置１００が維持状態からアイドル状態に遷移したが、他の実施例では、無線パラメータ情報、コンテクスト識別子及び基地局ベース位置登録エリアの保持期間を計時するタイマが利用され、当該タイマが満了すると、ユーザ装置１００は、自律的に維持状態からアイドル状態に遷移してもよい。具体的には、状態管理部１１０は、保持されたＡＳコンテクスト、Ｒｅｓｕｍｅ  ＩＤ及び／又は基地局ベース位置登録エリアに対して個別又は共通のタイマを設定し、ＡＳコンテクスト、Ｒｅｓｕｍｅ  ＩＤ及び／又は基地局ベース位置登録エリアの保持時間を計時する。タイマが満了すると、状態管理部１１０は、ＡＳコンテクスト、Ｒｅｓｕｍｅ  ＩＤ及び／又は基地局ベース位置登録エリアを破棄し、状態遷移部１２０は、自律的にＮＲ  ＲＲＣ＿ＳＵＳＴＡＩＮＥＤ状態からＮＲ  ＲＲＣ＿ＩＤＬＥ状態にユーザ装置１００を遷移させるようにしてもよい。この場合、当該個別又は共通のタイマは、ユーザ装置１００がＮＲ  ＲＲＣ＿ＣＯＮＮＥＣＴＥＤ状態からＮＲ  ＲＲＣ＿ＳＵＳＴＡＩＮＥＤ状態に遷移する際に、基地局２００からユーザ装置１００に通知されてもよい。あるいは、個別又は共通のタイマは、基地局２００からの維持メッセージ（ＲＲＣ  Ｃｏｎｎｅｃｔｉｏｎ  Ｓｕｓｔｅｎａｎｃｅ）で通知されてもよい。
【００７２】
このようにして、ユーザ装置１００が基地局２００からのリリースメッセージによって、又はタイマを用いて自律的に維持状態からアイドル状態に遷移する場合、基地局２００とコアネットワークとの間のコネクションも解放されてもよい。具体的には、図１２に示される解放手順に従って、基地局２００とコアネットワークとの間のコネクションが解放されてもよい。
【００７３】
すなわち、ユーザ装置１００に対して設定したタイマが満了したとき、又はユーザ装置１００にＲＲＣ  Ｓｕｓｔｅｎａｎｃｅ  Ｒｅｌｅａｓｅを送信した後、基地局２００は、コアネットワークと基地局２００との間に維持されているコネクションを解放し、ユーザ装置１００宛のダウンリンクデータを受信した際はコアネットワークベース位置登録エリアの基地局にページングを実行するようコアネットワークに要求する。なお、コアネットワークベース位置登録エリアは、ＬＴＥシステムにおけるトラッキングエリアに相当し、コアネットワークがページングを通知する基地局を示す。これにより、基地局２００及びコアネットワークは、維持されているコネクションを解放する。その後、ユーザ装置１００宛のダウンリンクデータを受信すると、コアネットワークは、当該ダウンリンクデータを基地局２００に転送することなく、コアネットワークベース位置登録エリアの基地局にページングを通知することになる。
【００７４】
次に、図１３〜１４を参照して、本発明の一実施例によるＮＲ  ＲＲＣ＿ＳＵＳＴＡＩＮＥＤとＬＴＥ  ＲＲＣ＿ＩＤＬＥとの間の遷移処理について説明する。上述したように、維持状態のユーザ装置１００は、自らモビリティを制御するため、自律的にＬＴＥシステムの基地局３００へのセル再選択（ＲＡＴ間セル再選択）を実行可能である。
【００７５】
図２及び図３を参照して説明したように、ＮＲ  ＲＲＣ＿ＳＵＳＴＡＩＮＥＤとＬＴＥ  ＲＲＣ＿ＩＤＬＥとの間の遷移処理については、ＲＡＴ間遷移においてＡＳコンテクストが破棄され、ＮＲ  ＲＲＣ＿ＳＵＳＴＡＩＮＥＤ状態からＬＴＥ  ＲＲＣ＿ＩＤＬＥ状態への一方向のみの遷移が可能な第１実施例と、ＲＡＴ間遷移においてＡＳコンテクストが保持され、ＮＲ  ＲＲＣ＿ＳＵＳＴＡＩＮＥＤ状態とＬＴＥ  ＲＲＣ＿ＩＤＬＥ状態との間の双方向の遷移が可能な第２実施例とが想定される。
【００７６】
まず、第１実施例によるＮＲ  ＲＲＣ＿ＳＵＳＴＡＩＮＥＤ→ＬＴＥ  ＲＲＣ＿ＩＤＬＥの遷移処理を説明する。本実施例では、ユーザ装置１００が基地局２００と維持状態（ＮＲ  ＲＲＣ＿ＳＵＳＴＡＩＮＥＤ）により通信しているとき、基地局３００へのセル再選択を実行すると、状態遷移部１２０は、ユーザ装置１００を維持状態から基地局３００におけるアイドル状態（ＬＴＥ  ＲＲＣ＿ＩＤＬＥ）に遷移させ、状態管理部１１０は、所定の破棄タイミングに従って無線パラメータ情報、コンテクスト識別子及び基地局ベース位置登録エリアを破棄してもよい。
【００７７】
具体的には、ＮＲ  ＲＲＣ＿ＳＵＳＴＡＩＮＥＤ状態のユーザ装置１００がＬＴＥシステムの基地局３００へのセル再選択を実行し、基地局３００のセルに在圏すると、状態遷移部１２０は、ユーザ装置１００をＮＲ  ＲＲＣ＿ＳＵＳＴＡＩＮＥＤ状態からＬＴＥ  ＲＲＣ＿ＩＤＬＥ状態に遷移させる。第１実施例では、ＲＡＴ間遷移においてＡＳコンテクストは破棄されるため、状態管理部１１０は、保持されるＡＳコンテクスト、Ｒｅｓｕｍｅ  ＩＤ及び基地局ベース位置登録エリアを所定の破棄タイミングで破棄する。
【００７８】
一実施例では、状態管理部１１０は、基地局３００へのセル再選択の実行タイミングで、保持されるＡＳコンテクスト、Ｒｅｓｕｍｅ  ＩＤ及び／又は基地局ベース位置登録エリアを破棄してもよい。
【００７９】
他の実施例では、状態管理部１１０は、保持されたＡＳコンテクスト、Ｒｅｓｕｍｅ  ＩＤ及び／又は基地局ベース位置登録エリアに対して個別又は共通のタイマを設定し、ＡＳコンテクスト、Ｒｅｓｕｍｅ  ＩＤ及び／又は基地局ベース位置登録エリアの保持時間を計時する。タイマが満了すると（基地局２００又は基地局３００の何れに在圏しているかに依ることなく）、状態管理部１１０は、ＡＳコンテクスト、Ｒｅｓｕｍｅ  ＩＤ及び／又は基地局ベース位置登録エリアを破棄してもよい。
【００８０】
更なる他の実施例では、状態管理部１１０は、セル再選択後に在圏する基地局３００との通信接続が確立しようとするタイミングで、又は当該通信接続の確立が完了したタイミングで、ＡＳコンテクスト、Ｒｅｓｕｍｅ  ＩＤ及び／又は基地局ベース位置登録エリアを破棄してもよい。すなわち、ユーザ装置１００が基地局３００にセル再選択した際（ＬＴＥ  ＲＲＣ＿ＩＤＬＥ）には、状態管理部１１０は、ＡＳコンテクスト、Ｒｅｓｕｍｅ  ＩＤ及び／又は基地局ベース位置登録エリアを保持し続け、基地局３００において接続状態になった後（ＬＴＥ  ＲＲＣ＿ＣＯＮＮＥＣＴＥＤ）、ＡＳコンテクスト、Ｒｅｓｕｍｅ  ＩＤ及び／又は基地局ベース位置登録エリアを破棄してもよい。
【００８１】
次に、第２実施例によるＮＲ  ＲＲＣ＿ＳＵＳＴＡＩＮＥＤ→ＬＴＥ  ＲＲＣ＿ＩＤＬＥの遷移処理を説明する。本実施例では、ユーザ装置１００が基地局２００と維持状態で通信しているとき、基地局３００へのセル再選択を実行すると、状態管理部１１０がユーザ装置１００と基地局２００との間の無線通信のための無線パラメータ情報及び当該無線パラメータ情報を特定するコンテクスト識別子を保持したまま、状態遷移部１２０は、基地局３００へのセル再選択を実行する。具体的には、ユーザ装置１００が基地局２００とＮＲ  ＲＲＣ＿ＳＵＳＴＡＩＮＥＤ状態により通信しているとき、基地局３００へのセル再選択を実行すると、状態管理部１２０がＡＳコンテクスト、Ｒｅｓｕｍｅ  ＩＤ及び基地局ベース位置登録エリアを破棄することなく、状態遷移部１２０は、ユーザ装置１００をＮＲ  ＲＲＣ＿ＳＵＳＴＡＩＮＥＤ状態から基地局３００においてＬＴＥ  ＲＲＣ＿ＩＤＬＥ状態に遷移させる。
【００８２】
図１３は、本発明の第２実施例によるＮＲ  ＲＲＣ＿ＳＵＳＴＡＩＮＥＤ→ＬＴＥ  ＲＲＣ＿ＩＤＬＥの状態遷移手順を示す図である。
【００８３】
図１３に示されるように、ステップＳ３０１において、ユーザ装置１００は、基地局２００（ＮＲ基地局）に接続し、状態管理部１１０は、ユーザ装置１００の通信状態をＮＲ  ＲＲＣ＿ＣＯＮＮＥＣＴＥＤとして管理する。
【００８４】
ステップＳ３０２において、ＮＲ基地局は、ＬＴＥシステムの基地局３００（ＬＴＥ  ｅＮＢ＃１）にユーザ装置１００がＬＴＥ  ｅＮＢ＃１に接続する際に適用されるＡＳコンテクストを要求する。
【００８５】
ステップＳ３０３において、ＮＲ基地局は、ＬＴＥ  ｅＮＢ＃１との無線通信においてユーザ装置１００に設定されるＡＳコンテクストと当該ＡＳコンテクストを特定するＲｅｓｕｍｅ  ＩＤとを取得する。すなわち、ユーザ装置１００がＮＲ基地局に接続すると、ＮＲ基地局は、ユーザ装置１００とＬＴＥ  ｅＮＢ＃１との間の無線通信のための無線パラメータ情報及びコンテクスト識別子をＬＴＥ  ｅＮＢ＃１から取得する。
【００８６】
ステップＳ３０４において、ＮＲ基地局は、ユーザ装置１００をＮＲ  ＲＲＣ＿ＣＯＮＮＥＣＴＥＤ状態からＮＲ  ＲＲＣ＿ＳＵＳＴＡＩＮＥＤ状態に遷移させるための維持メッセージ（ＲＲＣ  Ｃｏｎｎｅｃｔｉｏｎ  Ｓｕｓｔｅｎａｎｃｅ）をユーザ装置１００に送信する。維持メッセージは、ＮＲ基地局との無線通信のためにユーザ装置１００に設定されたＡＳコンテクスト及びＲｅｓｕｍｅ  ＩＤと、ＬＴＥ  ｅＮＢ＃１との無線通信のためにユーザ装置１００に設定されたＡＳコンテクスト及びＲｅｓｕｍｅ  ＩＤと、基地局ベース位置登録エリアとを含むものであってもよい。当該維持メッセージを受信すると、状態遷移部１２０は、ユーザ装置１００をＮＲ  ＲＲＣ＿ＣＯＮＮＥＣＴＥＤ状態からＮＲ  ＲＲＣ＿ＳＵＳＴＡＩＮＥＤ状態に遷移させる。また、状態管理部１１０は、ＮＲ基地局との無線通信のためにユーザ装置１００に設定されたＡＳコンテクスト及びＲｅｓｕｍｅ  ＩＤと、ＬＴＥ  ｅＮＢ＃１との無線通信のためにユーザ装置１００に設定されたＡＳコンテクスト及びＲｅｓｕｍｅ  ＩＤと、基地局ベース位置登録エリアとを保持する。すなわち、ユーザ装置１００を接続状態から維持状態に遷移させるための維持メッセージをＮＲ基地局から受信すると、状態管理部１１０は、維持メッセージからユーザ装置１００とＮＲ基地局との間の無線通信のための無線パラメータ情報及び当該無線パラメータ情報を特定するコンテクスト識別子と、ユーザ装置１００とＬＴＥ  ｅＮＢ＃１との間の無線通信のための無線パラメータ情報及び当該無線パラメータ情報を特定するコンテクスト識別子と、ＮＲ基地局の基地局ベース位置登録エリアとを抽出及び保持する。
【００８７】
ステップＳ３０５において、ユーザ装置１００は、ＬＴＥ  ｅＮＢ＃２にセル再選択し、ＬＴＥ  ｅＮＢ＃２との無線接続を確立することを決定し、ＬＴＥ  ｅＮＢ＃２との無線接続を確立するための以降のステップを実行する。
【００８８】
ステップＳ３０６において、ユーザ装置１００は、無線接続を確立するため、保持されるＲｅｓｕｍｅ  ＩＤを含むＲＲＣ  ｃｏｎｎｅｃｔｉｏｎ  ｒｅｓｕｍｅ  ｒｅｑｕｅｓｔをＬＴＥ  ｅＮＢ＃２に送信する。
【００８９】
ステップＳ３０７において、ＬＴＥ  ｅＮＢ＃２は、ユーザ装置１００のＡＳコンテクストを取得するため、Ｒｅｓｕｍｅ  ＩＤを含むＲｅｔｒｉｅｖｅ  ＵＥ  ｃｏｎｔｅｘｔ  ｒｅｑｕｅｓｔをＬＴＥ  ｅＮＢ＃１に送信し、ステップＳ３０８において、要求したＡＳコンテクストをＲｅｔｒｉｅｖｅ  ＵＥ  ｃｏｎｔｅｘｔ  ｒｅｓｐｏｎｓｅにより受信する。なお、Ｒｅｓｕｍｅ  ＩＤは、対応するＡＳコンテクストが保存されているＬＴＥ  ｅＮＢ＃１を示すよう構成されている。従って、ＬＴＥ  ｅＮＢ＃２は、受信したＲｅｓｕｍｅ  ＩＤに対応するＡＳコンテクストがＬＴＥ  ｅＮＢ＃１に保持されていると判断できる。
【００９０】
ＬＴＥ  ｅＮＢ＃２は、ステップＳ３０９において、取得したＡＳコンテクストに基づきユーザ装置１００との無線接続を再開するため、ＲＲＣ  ｃｏｎｎｅｃｔｉｏｎ  ｒｅｓｕｍｅをユーザ装置１００に送信し、ステップＳ３１０において、無線接続の再開の完了を示すＲＲＣ  ｃｏｎｎｅｃｔｉｏｎ  ｒｅｓｕｍｅ  ｃｏｍｐｌｅｔｅを受信する。このようにして、ユーザ装置１００とＬＴＥ  ｅＮＢ＃２との無線接続が確立される。
【００９１】
次に、第２実施例によるＬＴＥ  ＲＲＣ＿ＩＤＬＥ→ＮＲ  ＲＲＣ＿ＳＵＳＴＡＩＮＥＤの遷移処理を説明する。本実施例では、ユーザ装置１００が基地局３００とアイドル状態で通信しているとき、基地局２００へのセル再選択を実行すると、状態管理部１１０がユーザ装置１００と基地局３００との間の無線通信のための無線パラメータ情報及び当該無線パラメータ情報を特定するコンテクスト識別子を保持したまま、状態遷移部１２０は、基地局２００へのセル再選択を実行する。具体的には、ユーザ装置１００が基地局３００にＬＴＥ  ＲＲＣ＿ＩＤＬＥ状態により在圏しているとき、基地局２００へのセル再選択を実行すると、状態管理部１２０がＡＳコンテクスト、Ｒｅｓｕｍｅ  ＩＤ及び基地局ベース位置登録エリアを破棄することなく、状態遷移部１２０は、ユーザ装置１００をＬＴＥ  ＲＲＣ＿ＩＤＬＥ状態から基地局３００においてＮＲ  ＲＲＣ＿ＳＵＳＴＡＩＮＥＤ状態に遷移させる。
【００９２】
図１４は、本発明の第２実施例によるＬＴＥ  ＲＲＣ＿ＩＤＬＥ→ＮＲ  ＲＲＣ＿ＳＵＳＴＡＩＮＥＤの状態遷移手順を示す図である。
【００９３】
図１４に示されるように、ステップＳ４０１において、ユーザ装置１００は、基地局３００（ＬＴＥ  ｅＮＢ）に接続し、状態管理部１１０は、ユーザ装置１００の通信状態をＬＴＥ  ＲＲＣ＿ＣＯＮＮＥＣＴＥＤとして管理する。
【００９４】
ステップＳ４０２において、ＬＴＥ  ｅＮＢは、ＮＲシステムの基地局２００（ＮＲ基地局＃１）にユーザ装置１００がＮＲ基地局＃１に接続する際に適用されるＡＳコンテクストを要求する。
【００９５】
ステップＳ４０３において、ＬＴＥ  ｅＮＢは、ＮＲ基地局＃１との無線通信においてユーザ装置１００に設定されるＡＳコンテクストと当該ＡＳコンテクストを特定するＲｅｓｕｍｅ  ＩＤとを取得する。すなわち、ユーザ装置１００がＬＴＥ  ｅＮＢに接続すると、ＬＴＥ  ｅＮＢは、ユーザ装置１００とＮＲ基地局＃１との間の無線通信のための無線パラメータ情報及びコンテクスト識別子をＮＲ基地局＃１から取得する。
【００９６】
ステップＳ４０４において、ＬＴＥ  ｅＮＢは、ユーザ装置１００をＬＴＥ  ＲＲＣ＿ＣＯＮＮＥＣＴＥＤ状態からＬＴＥ  ＲＲＣ＿ＩＤＬＥ状態に遷移させるためのリリースメッセージ（ＲＲＣ  Ｃｏｎｎｅｃｔｉｏｎ  Ｒｅｌｅａｓｅ）をユーザ装置１００に送信する。リリースメッセージは、ＬＴＥ  ｅＮＢとの無線通信のためにユーザ装置１００に設定されたＡＳコンテクスト及びＲｅｓｕｍｅ  ＩＤと、ＮＲ基地局＃１との無線通信のためにユーザ装置１００に設定されたＡＳコンテクスト及びＲｅｓｕｍｅ  ＩＤと、基地局ベース位置登録エリアとを含むものであってもよい。当該維持メッセージを受信すると、状態遷移部１２０は、ユーザ装置１００をＬＴＥ  ＲＲＣ＿ＣＯＮＮＥＣＴＥＤ状態からＬＴＥ  ＲＲＣ＿ＩＤＬＥ状態に遷移させる。また、状態管理部１１０は、ＬＴＥ  ｅＮＢとの無線通信のためにユーザ装置１００に設定されたＡＳコンテクスト及びＲｅｓｕｍｅ  ＩＤと、ＮＲ基地局＃１との無線通信のためにユーザ装置１００に設定されたＡＳコンテクスト及びＲｅｓｕｍｅ  ＩＤと、基地局ベース位置登録エリアとを保持する。すなわち、ユーザ装置１００を接続状態からアイドル状態に遷移させるためのリリースメッセージをＬＴＥ  ｅＮＢから受信すると、状態管理部１１０は、リリースメッセージからユーザ装置１００とＬＴＥ  ｅＮＢとの間の無線通信のための無線パラメータ情報及び当該無線パラメータ情報を特定するコンテクスト識別子と、ユーザ装置１００とＮＲ基地局＃１との間の無線通信のための無線パラメータ情報及び当該無線パラメータ情報を特定するコンテクスト識別子と、ＮＲ基地局＃１の基地局ベース位置登録エリアとを抽出及び保持する。
【００９７】
ステップＳ４０５において、ユーザ装置１００は、ＮＲ基地局＃２にセル再選択し、ＮＲ基地局＃２との無線接続を確立することを決定し、ＮＲ基地局＃２との無線接続を確立するための以降のステップを実行する。
【００９８】
ステップＳ４０６において、ユーザ装置１００は、無線接続を確立するため、保持されるＲｅｓｕｍｅ  ＩＤを含むＲＲＣ  ｃｏｎｎｅｃｔｉｏｎ  ｒｅｓｕｍｅ  ｒｅｑｕｅｓｔをＮＲ基地局＃２に送信する。
【００９９】
ステップＳ４０７において、ＮＲ基地局＃２は、ユーザ装置１００のＡＳコンテクストを取得するため、Ｒｅｓｕｍｅ  ＩＤを含むＲｅｔｒｉｅｖｅ  ＵＥ  ｃｏｎｔｅｘｔ  ｒｅｑｕｅｓｔをＮＲ基地局＃１に送信し、ステップＳ４０８において、要求したＡＳコンテクストをＲｅｔｒｉｅｖｅ  ＵＥ  ｃｏｎｔｅｘｔ  ｒｅｓｐｏｎｓｅにより受信する。なお、Ｒｅｓｕｍｅ  ＩＤは、対応するＡＳコンテクストが保存されているＮＲ基地局＃１を示すよう構成されている。従って、ＮＲ基地局＃２は、受信したＲｅｓｕｍｅ  ＩＤに対応するＡＳコンテクストがＮＲ基地局＃１に保持されていると判断できる。
【０１００】
ＮＲ基地局＃２は、ステップＳ４０９において、取得したＡＳコンテクストに基づきユーザ装置１００との無線接続を再開するため、ＲＲＣ  ｃｏｎｎｅｃｔｉｏｎ  ｒｅｓｕｍｅをユーザ装置１００に送信し、ステップＳ４１０において、無線接続の再開の完了を示すＲＲＣ  ｃｏｎｎｅｃｔｉｏｎ  ｒｅｓｕｍｅ  ｃｏｍｐｌｅｔｅを受信する。このようにして、ユーザ装置１００とＮＲ基地局＃２との無線接続が確立される。
【０１０１】
上述したように、第２実施例によると、ユーザ装置１００は、ＬＴＥシステム及びＮＲシステムのための無線パラメータ情報（ＡＳコンテクスト）と、当該ＡＳコンテクストを特定するコンテクスト識別子（Ｒｅｓｕｍｅ  ＩＤ）とをセル再選択の間は保持し続ける。一実施例では、状態管理部１１０は、基地局２００，３００における無線パラメータ情報及びコンテクスト識別子の一方又は双方の保持期間を計時するタイマを有し、当該タイマが満了すると、状態管理部１１０は、保持される無線パラメータ情報及びコンテクスト識別子の一方又は双方を破棄してもよい。他の実施例では、状態管理部１１０は、ユーザ装置１００がＬＴＥシステム及びＮＲシステム以外の他のＲＡＴ（ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）など）のシステムにセル再選択したら、ＡＳコンテクスト、Ｒｅｓｕｍｅ  ＩＤ及び／又は基地局ベース位置登録エリアを破棄してもよい。更なる他の実施例では、他ＲＡＴシステムにセル再選択した後であっても、タイマが満了するまでは、状態管理部１１０は、ＡＳコンテクスト、Ｒｅｓｕｍｅ  ＩＤ及び／又は基地局ベース位置登録エリアを保持し続けてもよい。更なる他の実施例では、状態管理部１１０は、他ＲＡＴシステムへのセル再選択後に在圏する他ＲＡＴ基地局との通信接続が確立しようとするタイミングで、又は当該通信接続の確立が完了したタイミングで、ＡＳコンテクスト、Ｒｅｓｕｍｅ  ＩＤ及び／又は基地局ベース位置登録エリアを破棄してもよい。すなわち、ユーザ装置１００が他ＲＡＴ基地局にセル再選択した際には、状態管理部１１０は、ＡＳコンテクスト、Ｒｅｓｕｍｅ  ＩＤ及び／又は基地局ベース位置登録エリアを保持し続け、他ＲＡＴ基地局において接続状態になった後、ＡＳコンテクスト、Ｒｅｓｕｍｅ  ＩＤ及び／又は基地局ベース位置登録エリアを破棄してもよい。
【０１０２】
次に、図１５を参照して、本発明の一実施例による基地局ベース位置登録エリア及びコアネットワークベース位置登録エリアを説明する。上述したように、基地局ベース位置登録エリアは、維持状態のユーザ装置１００にページングチャネルを送信する基地局又はセルを示し、コアネットワークベース位置登録エリアは、コアネットワークがページングチャネルを送信する基地局又はセルを示す。本実施例では、基地局（ＲＡＮ）ベース位置登録エリア及びコアネットワーク（ＣＮ）ベース位置登録エリアはそれぞれ、ＬＴＥシステムにおけるトラッキングエリア及びページングエリアであってもよい。これにより、ＮＲシステムにおいて、基地局ベース位置登録エリア及びコアネットワークベース位置登録エリアのための新たなエリア識別子又はコードを通知することが不要になる。
【０１０３】
具体的には、図１５に示されるように、基地局ベース位置登録エリアは、ＬＴＥシステムにおけるトラッキングエリア（ＴＡ）に相当するものであってもよく、同一の識別子（ＬＴＥシステムでは、トラッキングエリア識別子（ＴＡＩ）又はトラッキングエリアコード）が付与された１つ以上の隣接セルから構成されてもよい。一方、コアネットワークベース位置登録エリアは、ＬＴＥシステムにおけるトラッキングエリア（ＴＡ）リストに含まれるトラッキングエリア群（ページングエリア）に相当するものであってもよい。ユーザ装置１００の位置は、基地局ベース位置登録エリアとコアネットワークベース位置登録エリアとによって管理される。すなわち、ＬＴＥシステムと同様に、ＮＲシステムでもまた、各セルにおいて、当該セルが属する基地局ベース位置登録エリアを示す基地局ベース位置登録エリアコードがブロードキャストされ、ユーザ装置１００は、受信した基地局ベース位置登録エリアコードを保存する。例えば、移動中、電源オン時などにおいて、状態管理部１１０は、取得した基地局ベース位置登録エリアコードと保持している基地局ベース位置登録エリアコードとが異なっていることを検出すると、基地局ベース位置登録エリアが変わったと判断する。
【０１０４】
次に、図１６〜１７を参照して、本発明の一実施例による基地局ベース位置登録エリア更新処理を説明する。維持状態のユーザ装置１００は、取得した基地局ベース位置登録エリアコードと保持している基地局ベース位置登録エリアコードとが異なっていることを検出すると、基地局ベース位置登録エリアが変わったと判断し、基地局ベース位置登録エリア更新処理を実行してもよい。
【０１０５】
図１６は、本発明の一実施例による基地局ベース位置登録エリア更新処理を示すシーケンス図である。当該基地局ベース位置登録エリア更新処理は、４つのメッセージによるランダムアクセス手順を援用している。図１６に示されるように、基地局２００からシステム情報などにより受信した基地局ベース位置登録エリアコードと保持している基地局ベース位置登録エリアコードとが異なっていることを検出すると、ステップＳ５０１において、ユーザ装置１００は、検出した基地局ベース位置登録エリアの基地局２００にアタッチするため、Ｍｅｓｓａｇｅ１としてＲａｎｄｏｍ  Ａｃｃｅｓｓ  Ｐｒｅａｍｂｌｅを基地局２００に送信する。
【０１０６】
ステップＳ５０２において、基地局２００は、受信したＭｅｓｓａｇｅ１に対してＴｅｍｐｏｒａｒｙ  Ｃ−ＲＮＴＩを割り当て、受信したＲａｎｄｏｍ  Ａｃｃｅｓｓ  Ｐｒｅａｍｂｌｅと割り当てたＴｅｍｐｏｒａｒｙ  Ｃ−ＲＮＴＩとを含むＲａｎｄｏｍ  Ａｃｃｅｓｓ  ＲｅｓｐｏｎｓｅをＭｅｓｓａｇｅ２としてユーザ装置１００に送信する。
【０１０７】
ステップＳ５０３において、ユーザ装置１００は、ＭＡＣ（Ｍｅｄｉｕｍ  Ａｃｃｅｓｓ  Ｃｏｎｔｒｏｌ）  ＣＥ（Ｃｏｎｔｒｏｌ  Ｅｌｅｍｅｎｔ）によりＳｃｈｅｄｕｌｅｄ  Ｔｒａｎｓｍｉｓｓｉｏｎを構成し、受信したＴｅｍｐｏｒａｒｙ  Ｃ−ＲＮＴＩと、保持しているＲｅｓｕｍｅ  ＩＤと、これを認証するためのｓｈｏｒｔＭＡＣ−Ｉとを含むＳｃｈｅｄｕｌｅｄ  ＴｒａｎｓｍｉｓｓｓｉｏｎをＭｅｓｓａｇｅ３として基地局２００に送信する。
【０１０８】
ステップＳ５０４において、基地局２００は、受信したＭｅｓｓａｇｅ３に対するアクノリッジメントとして、Ｔｅｍｐｏｒａｒｙ  Ｃ−ＲＮＴＩを含むＣｏｎｔｅｎｔｉｏｎ  ＲｅｓｏｌｕｔｉｏｎをＰＤＣＣＨにおいてＭｅｓｓａｇｅ４としてユーザ装置１００に送信する。これにより、ユーザ装置１００は、基地局２００への位置登録を完了することができる。
【０１０９】
あるいは、基地局ベース位置登録エリア更新処理は、２つのメッセージによるランダムアクセス手順を援用してもよい。図１７は、本発明の一実施例による基地局ベース位置登録エリア更新処理を示すシーケンス図である。
【０１１０】
図１７に示されるように、基地局２００からシステム情報などにより受信した基地局ベース位置登録エリアコードと保持している基地局ベース位置登録エリアコードとが異なっていることを検出すると、ステップＳ６０１において、ユーザ装置１００は、保持しているＲｅｓｕｍｅ  ＩＤと、これを認証するためのｓｈｏｒｔＭＡＣ−Ｉとを含むＲａｎｄｏｍ  Ａｃｃｅｓｓ  ＰｒｅａｍｂｌｅをＭｅｓｓａｇｅ１として基地局２００に送信する。
【０１１１】
ステップＳ６０２において、基地局２００は、受信したＭｅｓｓａｇｅ１に対するアクノリッジメントとして、受信したＭｅｓｓａｇｅ１に対してＴｅｍｐｏｒａｒｙでない正式なＣ−ＲＮＴＩを割り当て、受信したＲａｎｄｏｍ  Ａｃｃｅｓｓ  Ｐｒｅａｍｂｌｅと割り当てたＣ−ＲＮＴＩとを含むＲａｎｄｏｍ  Ａｃｃｅｓｓ  ＲｅｓｐｏｎｓｅをＭｅｓｓａｇｅ２としてユーザ装置１００に送信する。これにより、ユーザ装置１００は、基地局２００への位置登録を完了することができる。
【０１１２】
なお、上記実施の形態の説明に用いたブロック図は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に(例えば、有線及び／又は無線)で接続し、これら複数の装置により実現されてもよい。
【０１１３】
例えば、本発明の一実施の形態におけるユーザ装置１００及び基地局２００，３００は、本発明の無線通信方法の処理を行うコンピュータとして機能してもよい。図１８は、本発明の一実施例によるユーザ装置１００及び基地局２００，３００のハードウェア構成を示すブロック図である。上述のユーザ装置１００及び基地局２００，３００は、物理的には、プロセッサ１００１、メモリ１００２、ストレージ１００３、通信装置１００４、入力装置１００５、出力装置１００６、バス１００７などを含むコンピュータ装置として構成されてもよい。
【０１１４】
なお、以下の説明では、「装置」という文言は、回路、デバイス、ユニットなどに読み替えることができる。ユーザ装置１００及び基地局２００，３００のハードウェア構成は、図に示した各装置を１つ又は複数含むように構成されてもよいし、一部の装置を含まずに構成されてもよい。
【０１１５】
ユーザ装置１００及び基地局２００，３００における各機能は、プロセッサ１００１、メモリ１００２などのハードウェア上に所定のソフトウェア（プログラム）を読み込ませることで、プロセッサ１００１が演算を行い、通信装置１００４による通信や、メモリ１００２及びストレージ１００３におけるデータの読み出し及び／又は書き込みを制御することで実現される。
【０１１６】
プロセッサ１００１は、例えば、オペレーティングシステムを動作させてコンピュータ全体を制御する。プロセッサ１００１は、周辺装置とのインタフェース、制御装置、演算装置、レジスタなどを含む中央処理装置（ＣＰＵ：Central  Processing  Unit）で構成されてもよい。例えば、上述の各構成要素は、プロセッサ１００１で実現されてもよい。
【０１１７】
また、プロセッサ１００１は、プログラム（プログラムコード）、ソフトウェアモジュールやデータを、ストレージ１００３及び／又は通信装置１００４からメモリ１００２に読み出し、これらに従って各種の処理を実行する。プログラムとしては、上述の実施の形態で説明した動作の少なくとも一部をコンピュータに実行させるプログラムが用いられる。例えば、ユーザ装置１００及び基地局２００，３００の各構成要素による処理は、メモリ１００２に格納され、プロセッサ１００１で動作する制御プログラムによって実現されてもよく、他の機能ブロックについても同様に実現されてもよい。上述の各種処理は、１つのプロセッサ１００１で実行される旨を説明してきたが、２以上のプロセッサ１００１により同時又は逐次に実行されてもよい。プロセッサ１００１は、１以上のチップで実装されてもよい。なお、プログラムは、電気通信回線を介してネットワークから送信されても良い。
【０１１８】
メモリ１００２は、コンピュータ読み取り可能な記録媒体であり、例えば、ＲＯＭ（Read  Only  Memory）、ＥＰＲＯＭ（Erasable  Programmable  ＲＯＭ）、ＥＥＰＲＯＭ（Electrically Erasable Programmable ＲＯＭ）、ＲＡＭ（Random  Access  Memory）などの少なくとも１つで構成されてもよい。メモリ１００２は、レジスタ、キャッシュ、メインメモリ（主記憶装置）などと呼ばれてもよい。メモリ１００２は、本発明の一実施の形態に係る無線通信方法を実施するために実行可能なプログラム（プログラムコード）、ソフトウェアモジュールなどを保存することができる。
【０１１９】
ストレージ１００３は、コンピュータ読み取り可能な記録媒体であり、例えば、ＣＤ−ＲＯＭ（Compact  Disc  ＲＯＭ）などの光ディスク、ハードディスクドライブ、フレキシブルディスク、光磁気ディスク(例えば、コンパクトディスク、デジタル多用途ディスク、Ｂｌｕ−ｒａｙ（登録商標）ディスク)、スマートカード、フラッシュメモリ(例えば、カード、スティック、キードライブ)、フロッピー（登録商標）ディスク、磁気ストリップなどの少なくとも１つで構成されてもよい。ストレージ１００３は、補助記憶装置と呼ばれてもよい。上述の記憶媒体は、例えば、メモリ１００２及び／又はストレージ１００３を含むデータベース、サーバその他の適切な媒体であってもよい。
【０１２０】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。
【０１２１】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、LEDランプなど）である。なお、入力装置１００５及び出力装置１００６は、一体となった構成（例えば、タッチパネル）であってもよい。
【０１２２】
また、プロセッサ１００１やメモリ１００２などの各装置は、情報を通信するためのバス１００７で接続される。バス１００７は、単一のバスで構成されてもよいし、装置間で異なるバスで構成されてもよい。
【０１２３】
また、ユーザ装置１００及び基地局２００，３００は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【０１２４】
情報の通知は、本明細書で説明した態様／実施形態に限られず、他の方法で行われてもよい。例えば、情報の通知は、物理レイヤシグナリング（例えば、ＤＣＩ（Downlink  Control  Information）、ＵＣＩ（Uplink  Control  Information））、上位レイヤシグナリング（例えば、ＲＲＣ（Radio  Resource  Control）シグナリング、ＭＡＣ（Medium  Access  Control）シグナリング、報知情報（ＭＩＢ（Master  Information  Block）、ＳＩＢ（System  Information  Block）））、その他の信号又はこれらの組み合わせによって実施されてもよい。また、ＲＲＣシグナリングは、ＲＲＣメッセージと呼ばれてもよく、例えば、ＲＲＣ接続セットアップ（RRC Connection Setup）メッセージ、ＲＲＣ接続再構成（RRC Connection Reconfiguration）メッセージなどであってもよい。
【０１２５】
本明細書で説明した各態様／実施例は、ＬＴＥ（Long  Term  Evolution）、ＬＴＥ−Ａ（LTE-Advanced）、ＳＵＰＥＲ  ３Ｇ、ＩＭＴ−Ａｄｖａｎｃｅｄ、４Ｇ、５Ｇ、ＦＲＡ（Future  Radio  Access）、Ｗ−ＣＤＭＡ（登録商標）、ＧＳＭ（登録商標）、ＣＤＭＡ２０００、ＵＭＢ（Ultra  Mobile  Broadband）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ＵＷＢ（Ultra-WideBand）、Ｂｌｕｅｔｏｏｔｈ（登録商標）、その他の適切なシステムを利用するシステム及び／又はこれらに基づいて拡張された次世代システムに適用されてもよい。
【０１２６】
本明細書で説明した各態様／実施例の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【０１２７】
本明細書において基地局２００，３００によって行われるとした特定動作は、場合によってはその上位ノード（upper node）によって行われることもある。基地局を有する１つまたは複数のネットワークノード（network nodes）からなるネットワークにおいて、端末との通信のために行われる様々な動作は、基地局および／または基地局以外の他のネットワークノード(例えば、MMEまたはS-GWなどが考えられるが、これらに限られない)によって行われ得ることは明らかである。上記において基地局以外の他のネットワークノードが１つである場合を例示したが、複数の他のネットワークノードの組み合わせ(例えば、MMEおよびS-GW)であってもよい。
【０１２８】
情報等は、上位レイヤ(または下位レイヤ)から下位レイヤ(または上位レイヤ)へ出力され得る。複数のネットワークノードを介して入出力されてもよい。
【０１２９】
入出力された情報等は特定の場所(例えば、メモリ)に保存されてもよいし、管理テーブルで管理してもよい。入出力される情報等は、上書き、更新、または追記され得る。出力された情報等は削除されてもよい。入力された情報等は他の装置へ送信されてもよい。
【０１３０】
判定は、１ビットで表される値（０か１か）によって行われてもよいし、真偽値（Boolean：trueまたはfalse）によって行われてもよいし、数値の比較（例えば、所定の値との比較）によって行われてもよい。
【０１３１】
本明細書で説明した各態様／実施例は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【０１３２】
以上、本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【０１３３】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０１３４】
また、ソフトウェア、命令などは、伝送媒体を介して送受信されてもよい。例えば、ソフトウェアが、同軸ケーブル、光ファイバケーブル、ツイストペア及びデジタル加入者回線（ＤＳＬ）などの有線技術及び／又は赤外線、無線及びマイクロ波などの無線技術を使用してウェブサイト、サーバ、又は他のリモートソースから送信される場合、これらの有線技術及び／又は無線技術は、伝送媒体の定義内に含まれる。
【０１３５】
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０１３６】
なお、本明細書で説明した用語及び／又は本明細書の理解に必要な用語については、同一の又は類似する意味を有する用語と置き換えてもよい。例えば、チャネル及び／又はシンボルは信号（シグナル）であってもよい。また、信号はメッセージであってもよい。また、コンポーネントキャリア（ＣＣ）は、キャリア周波数、セルなどと呼ばれてもよい。
【０１３７】
本明細書で使用する「システム」および「ネットワーク」という用語は、互換的に使用される。
【０１３８】
また、本明細書で説明した情報、パラメータなどは、絶対値で表されてもよいし、所定の値からの相対値で表されてもよいし、対応する別の情報で表されてもよい。例えば、無線リソースはインデックスで指示されるものであってもよい。
【０１３９】
上述したパラメータに使用する名称はいかなる点においても限定的なものではない。さらに、これらのパラメータを使用する数式等は、本明細書で明示的に開示したものと異なる場合もある。様々なチャネル（例えば、ＰＵＣＣＨ、ＰＤＣＣＨなど）及び情報要素（例えば、ＴＰＣなど）は、あらゆる好適な名称によって識別できるので、これらの様々なチャネル及び情報要素に割り当てている様々な名称は、いかなる点においても限定的なものではない。
【０１４０】
基地局は、１つまたは複数（例えば、３つ）の（セクタとも呼ばれる）セルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局ＲＲＨ：Ｒｅｍｏｔｅ  Ｒａｄｉｏ  Ｈｅａｄ）によって通信サービスを提供することもできる。「セル」または「セクタ」という用語は、このカバレッジにおいて通信サービスを行う基地局、および／または基地局サブシステムのカバレッジエリアの一部または全体を指す。さらに、「基地局」、「ｅＮＢ」、「セル」、および「セクタ」という用語は、本明細書では互換的に使用され得る。基地局は、固定局（fixed station）、ＮｏｄｅＢ、ｅＮｏｄｅＢ（ｅＮＢ）、アクセスポイント（access point）、フェムトセル、スモールセルなどの用語で呼ばれる場合もある。
【０１４１】
移動局は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、またはいくつかの他の適切な用語で呼ばれる場合もある。
【０１４２】
本明細書で使用する「判断(determining)」、「決定(determining)」という用語は、多種多様な動作を包含する場合がある。「判断」、「決定」は、例えば、計算(calculating)、算出(computing)、処理(processing)、導出(deriving)、調査(investigating)、探索(looking up)（例えば、テーブル、データベースまたは別のデータ構造での探索）、確認(ascertaining)した事を「判断」「決定」したとみなす事などを含み得る。また、「判断」、「決定」は、受信(receiving)（例えば、情報を受信すること）、送信(transmitting)(例えば、情報を送信すること)、入力(input)、出力(output)、アクセス(accessing)（例えば、メモリ中のデータにアクセスすること）した事を「判断」「決定」したとみなす事などを含み得る。また、「判断」、「決定」は、解決(resolving)、選択(selecting)、選定(choosing)、確立(establishing)、比較(comparing)などした事を「判断」「決定」したとみなす事を含み得る。つまり、「判断」「決定」は、何らかの動作を「判断」「決定」したとみなす事を含み得る。
【０１４３】
「接続された(connected)」、「結合された(coupled)」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。本明細書で使用する場合、２つの要素は、１又はそれ以上の電線、ケーブル及び／又はプリント電気接続を使用することにより、並びにいくつかの非限定的かつ非包括的な例として、無線周波数領域、マイクロ波領域及び光（可視及び不可視の両方）領域の波長を有する電磁エネルギーなどの電磁エネルギーを使用することにより、互いに「接続」又は「結合」されると考えることができる。
【０１４４】
参照信号は、ＲＳ（Reference Signal）と略称することもでき、適用される標準によってパイロット（Pilot）と呼ばれてもよい。
【０１４５】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１４６】
本明細書で使用する「第１の」、「第２の」などの呼称を使用した要素へのいかなる参照も、それらの要素の量または順序を全般的に限定するものではない。これらの呼称は、２つ以上の要素間を区別する便利な方法として本明細書で使用され得る。したがって、第１および第２の要素への参照は、２つの要素のみがそこで採用され得ること、または何らかの形で第１の要素が第２の要素に先行しなければならないことを意味しない。
【０１４７】
上記の各装置の構成における「手段」を、「部」、「回路」、「デバイス」等に置き換えてもよい。
【０１４８】
「含む(ｉｎｃｌｕｄｅ)」、「含んでいる（ｉｎｃｌｕｄｉｎｇ）」、およびそれらの変形が、本明細書あるいは特許請求の範囲で使用されている限り、これら用語は、用語「備える（ｃｏｍｐｒｉｓｉｎｇ）」と同様に、包括的であることが意図される。さらに、本明細書あるいは特許請求の範囲において使用されている用語「または（or）」は、排他的論理和ではないことが意図される。
【０１４９】
無線フレームは時間領域において１つまたは複数のフレームで構成されてもよい。時間領域において１つまたは複数の各フレームはサブフレームと呼ばれてもよい。サブフレームは更に時間領域において１つまたは複数のスロットで構成されてもよい。スロットはさらに時間領域において１つまたは複数のシンボル（ＯＦＤＭシンボル、ＳＣ-ＦＤＭＡシンボル等）で構成されてもよい。無線フレーム、サブフレーム、スロット、およびシンボルは、いずれも信号を伝送する際の時間単位を表す。無線フレーム、サブフレーム、スロット、およびシンボルは、それぞれに対応する別の呼び方であってもよい。例えば、ＬＴＥシステムでは、基地局が各移動局に無線リソース（各移動局において使用することが可能な周波数帯域幅や送信電力等）を割り当てるスケジューリングを行う。スケジューリングの最小時間単位をＴＴＩ（Ｔｒａｎｓｍｉｓｓｉｏｎ  Ｔｉｍｅ  Ｉｎｔｅｒｖａｌ）と呼んでもよい。例えば、1サブフレームをＴＴＩと呼んでもよいし、複数の連続したサブフレームをＴＴＩと呼んでもよいし、１スロットをＴＴＩと呼んでもよい。リソースブロック（ＲＢ）は、時間領域および周波数領域のリソース割当単位であり、周波数領域では１つまたは複数個の連続した副搬送波（ｓｕｂｃａｒｒｉｅｒ）を含んでもよい。また、リソースブロックの時間領域では、１つまたは複数個のシンボルを含んでもよく、１スロット、１サブフレーム、または１ＴＴＩの長さであってもよい。１ＴＴＩ、１サブフレームは、それぞれ１つまたは複数のリソースブロックで構成されてもよい。上述した無線フレームの構造は例示に過ぎず、無線フレームに含まれるサブフレームの数、サブフレームに含まれるスロットの数、スロットに含まれるシンボルおよびリソースブロックの数、および、リソースブロックに含まれるサブキャリアの数は様々に変更することができる。
【０１５０】
以上、本発明の実施例について詳述したが、本発明は上述した特定の実施形態に限定されるものではなく、特許請求の範囲に記載された本発明の要旨の範囲内において、種々の変形・変更が可能である。
【０１５１】
本出願は、２０１６年８月１０日に出願した日本国特許出願２０１６−１５８２７１号、２０１６年８月１０日に出願した日本国特許出願２０１６−１５８２７２号及び２０１６年１１月２日に出願した日本国特許出願２０１６−２１５７０１号の優先権の利益に基づき、これを主張するものであり、２０１６−１５８２７１号、２０１６−１５８２７２号及び２０１６−２１５７０１号の全内容を本出願に援用する。
【符号の説明】
【０１５２】
１０  無線通信システム
１００  ユーザ装置
１１０  状態管理部
１２０  状態遷移部
２００，３００  基地局
【図１】
2018030281.tif 000003
【図２】
2018030281.tif 000004
【図３】
2018030281.tif 000005
【図４】
2018030281.tif 000006
【図５】
2018030281.tif 000007
【図６】
2018030281.tif 000008
【図７】
2018030281.tif 000009
【図８】
2018030281.tif 000010
【図９】
2018030281.tif 000011
【図１０】
2018030281.tif 000012
【図１１】
2018030281.tif 000013
【図１２】
2018030281.tif 000014
【図１３】
2018030281.tif 000015
【図１４】
2018030281.tif 000016
【図１５】
2018030281.tif 000017
【図１６】
2018030281.tif 000018
【図１７】
2018030281.tif 000019
【図１８】
2018030281.tif 000020
【国際調査報告】
2018030281.tif 000021
2018030281.tif 000022